(57)【特許請求の範囲】
【請求項１】
扉の幅方向片側の下部を床に対してピン支承する扉の支持装置であって、その床側部材が、裏面側に凹部が形成されたハウジングと、このハウジングの凹部にスライド移動可能に嵌合収容されるスライド部材とから成り、ハウジングにはピン長孔が設けられると共にこのピン長孔よりも実質的に先端側にビス孔が設けられ、スライド部材にはハウジングのピン長孔を挿通して上方に突出するピンが設けられると共にハウジングのビス孔に対応してビス挿通用の長孔および／または長溝が設けられ、スライド部材をハウジング裏面の凹部に嵌合収容したときにハウジングはスライド部材の下端から浮いた状態とされ、この状態でビスをビス孔およびビス挿通用の長孔および／または長溝を通して床にねじ込むことによりハウジングが床に固定されると共に、スライド部材が床に押し付けられた状態で固定されることを特徴とする、扉の支持装置。
【請求項２】
ハウジングおよびスライド部材がいずれもスライド方向長手軸に対して左右対称の構成を有していて、左右の扉に兼用可能であることを特徴とする、請求項１記載の扉の支持装置。
【発明の詳細な説明】
【技術分野】
【０００１】
本発明は、扉をピン支承により回転可能に支持する扉の支持装置に関する。
【背景技術】
【０００２】
従来の扉の支持装置としては、たとえば下記特許文献１に開示されたものがある。この扉の支持装置における下部扉支持装置３５は、床側部材３９に設けられるピン４２が扉側部材３７に設けられる孔に挿入されることによりピン支承される。
【特許文献１】特開２００５−１３３５２６号公報
【発明の開示】
【発明が解決しようとする課題】
【０００３】
ところが、このような構成によると、床側部材３９を所定の位置にセットする際、固定用長孔が扉枠に近い位置にあるため、この長孔を介してビスを床にねじ込むときにドリル工具が扉枠に当たり、ビスが斜めになってしまう。床側部材を床に固定するときに、このようにビスが斜めの方向にねじ込まれることになると、床側部材の固定が不完全となるだけでなく、床側部材自体が移動してしまってピン位置の微調整ができなくなるおそれがあった。ピン位置の微調整ができないと扉の開閉に支障を来す。
【０００４】
また、床側部材３９は左右非対称の形状である（図９）ため、左右の扉に兼用することができないものであった。
【０００５】
したがって、本発明が解決しようとする課題は、床側部材を確実に床に固定することができ且つピン位置の微調整を容易に行うことができ、更に、左右対称に形成されるために左右の扉に兼用可能であるような構成を有する新規な扉の支持装置を提供することである。
【課題を解決するための手段】
【０００６】
上記課題を解決するため、請求項１にかかる本発明は、扉の幅方向片側の下部を床に対してピン支承する扉の支持装置であって、その床側部材が、裏面側に凹部が形成されたハウジングと、このハウジングの凹部にスライド移動可能に嵌合収容されるスライド部材とから成り、ハウジングにはピン長孔が設けられると共にこのピン長孔よりも実質的に先端側にビス孔が設けられ、スライド部材にはハウジングのピン長孔を挿通して上方に突出するピンが設けられると共にハウジングのビス孔に対応してビス挿通用の長孔および／または長溝が設けられ、スライド部材をハウジング裏面の凹部に嵌合収容したときにハウジングはスライド部材の下端から浮いた状態とされ、この状態でビスをビス孔およびビス挿通用の長孔および／または長溝を通して床にねじ込むことによりハウジングが床に固定されると共に、スライド部材が床に押し付けられた状態で固定されることを特徴とする。
【０００７】
請求項２にかかる本発明は、請求項１記載の扉の支持装置において、ハウジングおよびスライド部材がいずれもスライド方向長手軸に対して左右対称の構成を有していて、左右の扉に兼用可能であることを特徴とする。
【発明の効果】
【０００８】
本発明によれば、扉の下部を床にピン支承する支持装置において、床側部材を確実に床に固定することができ、ピン位置の微調整を容易に行うことができる。また、本発明による支持装置の床側部材は左右対称に形成されるため、左右の扉に兼用することが可能である。
【発明を実施するための最良の形態】
【０００９】
図１ないし図３は、本発明に係る扉の支持装置を適用した扉装置の一実施形態を示す。この扉装置は、扉枠１と床２とで形成される開口部３に扉４を設けたものである。扉枠１は、上枠５および左右縦枠６，７を有する三方枠（ないし門形枠）として構成されており、バリアフリーのために下枠が無い。扉４は片開きタイプであり、この実施形態では右縦枠７側を支点として水平面において回転可能とされることにより開口部３に対して開閉可能に取り付けられている。
【００１０】
扉枠１および扉４は、たとえば主として木質繊維板（ＭＤＦなど）で形成され、その少なくとも露出面に化粧材が設けられる。化粧材には可撓性を有する材料が選定され、たとえば天然木材を切削して得られる天然突板や表面に各種模様を印刷した合成樹脂シートなどが用いられる。
【００１１】
床２は、合板、木質繊維板（ＭＤＦなど）、木削片板、単板積層板などの木質系材料で形成され、その表面には既述したと同様の化粧材が設けられる。
【００１２】
左右縦枠６，７にはそれぞれその略全長に亘って戸当たり９，１０が設けられると共に、上枠５の幅方向中央にも戸当たり１１が設けられ、扉４は閉じられた状態においてこれら戸当たり９，１０，１１に略当接する（図２，図３）。左縦枠６に設けられた戸当たり９および上枠５に設けられた戸当たり１１にはそれぞれ緩衝片１２，１３が設けられる。緩衝片１２は、扉４が閉じられたときにその衝撃を緩和して衝撃音を小さくする。
【００１３】
扉４は、その幅方向Ｗの一側（図１において右側）の上部および下部において、それぞれ上部扉支持装置２０および下部扉支持装置３０によりピボットヒンジ（ピン支承）により支持される。ピボットヒンジは、垂直に設けられたピン周りの水平面内での回転が可能である。また、扉４の他側（図１において左側）において略中間高さ位置には取手８が設けられる。
【００１４】
上部支持装置２０は、扉枠４の上枠５に取り付けられる上枠側部材２１と、扉４の上部に取り付けられる扉側部材２２とを有し、扉側部材２２に設けられるピン２３の先端（上端）が上枠側部材２１に設けられる孔２４に挿入されることによりピン支承される。ピン２３はコイルバネ２６により常に上方に付勢されているが、ピン２３の基端（下端）に設けられたつまみ２５を下方に引くことによりコイルバネ２６の付勢に抗してピン２３を下方に移動させて、ピン２３の先端を上枠側部材２１の孔２４から外すことができるようになっている。
【００１５】
一方、下部支持装置３０は、扉下部に取り付けられる扉側部材３１と、床に取り付けられる床側部材３２とを有し、床側部材３２に設けられるピン３３の先端（上端）が扉側部材３１に設けられる孔３１ａに挿入されることによりピン支承される。扉側部材３１は、孔３１ａに挿入されたピン３３の先端に載置されるので、ピン３３は扉側部材２２，３１を含めた扉４の略全重量を支えることになる。符号１４は床見切りを示す。
【００１６】
本発明の主たる特徴は、下部支持装置３０の床側部材３２の構成にあり、これについて以下図４ないし図７を参照して詳述する。
【００１７】
床側部材３２は、前述のピン３３を備えたスライド部材３５と、ピン３３をスライド可能に挿通させるピン長孔３４を備えてスライド部材３５をピン長孔３４の長手方向にスライド移動可能に収容するハウジング３６とを有して構成される。
【００１８】
特に図６を参照して、ハウジング３６は裏面側に凹部３７を有しており、この凹部３７にスライド部材３５が嵌合状態でスライド移動可能に収容される。凹部３７は、その奥側（扉側）において開口した方形状の小幅部３７ａを備え、この小幅部３７ａの手前側に連続して大きな主部３７ｂを有し、この主部３７ｂの先端３８側（反扉側）は閉塞されている。
【００１９】
ハウジング３６において、ピン長孔３４は略中央から奥側（扉側）にかけて位置するように形成されており、このピン長孔３４に対して略手前側（反扉側）に、スライド部材３５を床２に押し付けて固定するためのビス孔３９を有する。ビス孔３９の数や配置は任意であるが、図示実施形態では、ピン長孔３４の先端近くの両側に２個のビス孔が設けられると共に、ピン長孔３４の軸に整列して先端３８側に１個のビス孔が設けられている。
【００２０】
特に図７を参照して、スライド部材３５は、ハウジング３６の凹部３７に略対応した平面形状を有しており、奥端側の方形状凸部４２と、この凸部４２の手前側に連続する主部４３とから成る。凸部４２は凹部３７の小幅部３７ａにスライド可能に収容され、主部４３は凹部３７の主部３７ｂにスライド可能に収容される。主部４３の先端４３ａは凹部３７の閉塞端３８に対応した円弧状を有しており、先端４３ａが閉塞端３７ｃに略当接したときが、スライド部材３５がハウジング３６に対して最も手前側に位置（最も扉４から遠ざかった位置）した状態となる。
【００２１】
また、ハウジング３６におけるピン長孔３４の位置に対応して、スライド部材３５において、ピン３３は、略中央から奥側（扉側）にかけて位置するように形成されている。また、ハウジング３６におけるビス孔３９の位置に対応して、スライド部材３５には、ピン３３より略手前側（反扉側）に２個のビス長孔４０と、先端４３ａにおいて開口する１個のビス切欠４１が形成されている。
【００２２】
以上に述べたような構成を有する床側部材３２の取り付けは、ハウジング３６の裏面側の凹部３７にスライド部材３５を嵌合収容すると共にピン３３をピン長孔３４から上方に突出させた状態で扉４の下端近くにて床２上に置き、ハウジング３６のビス孔３９およびスライド部材３５のビス長孔４０，ビス切欠４１に上方よりビス（図示せず）を通して床２にねじ込む。
【００２３】
この床側部材３２の取り付けの際、ハウジング３６におけるビス孔３９はピン長孔を通って上方に突出しているピン３３に対して実質的に手前側に位置しているので、該ビス孔３９に対してビスを垂直にねじ込むことができる。したがって、ハウジング３６を床２に確実に固定することができる。そして、ハウジング３６の凹部３７に収容されたスライド部材３５の下端はハウジング３６の下端から距離ｄだけ突出して浮いた状態となっているので、スライド部材３５は床２に押し付けられた状態で固定される（図５）。距離ｄは０．５〜１．５ｍｍの範囲内で適宜の値を採用する。
【００２４】
また、このようにしてハウジング３６が床２に対して固定するに際して、スライド部材３５は、ピン３３がピン長孔３４の長手方向にスライド移動可能な範囲内において、ハウジング３６に対してスライド移動可能である。したがって、ビスをビス孔３９から床２にねじ込む前に、ピン３３の位置を微調整することができる。また、ハウジング３６が固定された状態においても、一旦ビスを緩めてピン３３の位置を再度微調整することができる。ビスはスライド部材３５においてビス長孔４０およびビス切欠４１を挿通するため、ピン３３がピン長孔３４内でスライド移動することを許容している。
【図面の簡単な説明】
【００２５】
【図１】本発明に係る扉の支持装置を適用した扉装置の一実施形態を示す正面図である。
【図２】図１におけるＡ−Ａ断面図である。
【図３】図１におけるＢ−Ｂ断面図である。
【図４】図１の扉の支持装置における下部扉支持装置の床側部材を示す平面図である。
【図５】この床側部材の正面図である。
【図６】この床側部材を構成するハウジングの上側から見た斜視図（ａ）および下側から見た斜視図（ｂ）である。
【図７】図６のハウジングと共にこの床側部材を構成するスライド部材の斜視図である。
【符号の説明】
【００２６】
１  扉枠
２  床
４  扉
２０  上部扉支持装置
３０  下部扉支持装置
３１  下部扉支持装置の扉側部材
３２  下部扉支持装置の床側部材
３３  ピン
３４  ピン長孔
３５  スライド部材
３６  ハウジング
３７  凹部
３９  ビス孔
４０  ビス長孔（ビス挿通用の長孔）
４１  ビス切欠（ビス挿通用の長溝）
【図１】
0004820650.tif 000002
【図２】
0004820650.tif 000003
【図３】
0004820650.tif 000004
【図４】
0004820650.tif 000005
【図５】
0004820650.tif 000006
【図６】
0004820650.tif 000007
【図７】
0004820650.tif 000008